(57)【要約】【課題】印刷ジョブの順番を効率良く入れ替え、実行の滞る印刷ジョブを減らすことによって、装置使用時にユーザーが体験する満足度を向上させる。【解決手段】実行中の印刷ジョブによる印刷で消費される記録剤の消費量と、記録剤の残量とを比較することで、実行中の印刷ジョブが途中で停止するか否かを判定する第１判定部１０２と、後続の印刷ジョブによる印刷で消費される記録剤の消費量と、記録剤の残量とを比較することで、実行中の印刷ジョブに代えて、後続の印刷ジョブを実行させた場合に、当該印刷ジョブの処理が完了するか否かを判定する第２判定部１０３と、第１判定部１０２により実行中の印刷ジョブは途中で停止すると判定され、なおかつ第２判定部１０３により後続の印刷ジョブの処理は完了すると判定された場合、実行中の印刷ジョブを停止させ、後続の印刷ジョブを実行させる制御部１００と、を備える。【選択図】図１
2019010786.tif 000002
【特許請求の範囲】
【請求項１】
印刷ジョブに従って、記録剤を用いて記録媒体に画像を形成する画像形成部と、
前記画像形成部の動作を制御する制御部と、
前記記録剤の残量を検出する残量検出部と、
印刷ジョブ毎に、それぞれの印刷ジョブによる印刷で消費される記録剤の消費量を算出する消費量算出部と、
前記消費量算出部により算出された実行中の印刷ジョブによる印刷で消費される記録剤の消費量と、前記残量検出部により検出された記録剤の残量とを比較することで、実行中の印刷ジョブが途中で停止するか否かを判定する第１判定部と、
前記消費量算出部により算出された、前記実行中の印刷ジョブに続く後続の印刷ジョブによる印刷で消費される記録剤の消費量と、前記残量検出部により検出された記録剤の残量とを比較することで、実行中の印刷ジョブに代えて前記後続の印刷ジョブを実行させた場合に、当該印刷ジョブの処理が完了するか否かを判定する第２判定部と、を備え、
前記制御部は、前記第１判定部により実行中の印刷ジョブは途中で停止すると判定され、かつ、前記第２判定部により前記後続の印刷ジョブの処理は完了すると判定された場合、実行中の印刷ジョブを停止させ、前記後続の印刷ジョブを実行させる画像形成装置。
【請求項２】
印刷ジョブに従って、記録剤を用いて記録媒体に画像を形成する画像形成部と、
前記画像形成部の動作を制御する制御部と、
前記記録剤の残量を検出する残量検出部と、
印刷ジョブ毎に、それぞれの印刷ジョブによる印刷で消費される記録剤の消費量を算出する消費量算出部と、
前記消費量算出部により算出された実行中の印刷ジョブによる印刷で消費される記録剤の消費量と、前記残量検出部により検出された記録剤の残量とを比較することで、実行中の印刷ジョブが途中で停止するか否かを判定する第１判定部と、
前記残量検出部により検出された記録剤の残量が、予め定められた規定量以下になったか否かを判断する残量状況判断部と、
前記消費量算出部により算出された後続の印刷ジョブによる印刷で消費される記録剤の消費量と、前記予め定められた規定量とを比較することで、記録剤の残量が前記予め定められた規定量まで減少したときに、実行中の印刷ジョブに代えて、前記後続の印刷ジョブを実行させた場合に、当該後続の印刷ジョブの処理が完了するか否かを判定する第３判定部と、を備え、
前記制御部は、前記第１判定部により実行中の印刷ジョブは途中で停止すると判定され、なおかつ前記残量状況判断部により、記録剤の残量が前記予め定められた規定量以下になったと判断されたときに、前記第３判定部により処理が完了すると判定された後続の印刷ジョブが存在する場合は、実行中の印刷ジョブを停止させ、当該後続の印刷ジョブを実行させる画像形成装置。
【請求項３】
印刷ジョブは、当該印刷ジョブが機密性を有しているか否かを示す属性情報を含み、
前記第３判定部により処理が完了すると判定された後続の印刷ジョブが複数存在する場合、
前記制御部は、前記属性情報に基づいて、前記後続の印刷ジョブのうち、機密性を有しているものを、機密性を有していないものよりも実行順位を上位に設定する請求項２に記載の画像形成装置。
【請求項４】
前記制御部は、予め定められた通常の記録材料で画像形成を行う通常モードと、当該通常モードよりも、予め定められた低減条件に従って記録剤の消費量を低下させて画像形成を行うエコモードとを切り替えて実行し、
前記消費量算出部は、前記エコモードが設定されている場合、前記予め定められた低減条件に従って、印刷ジョブによる印刷で消費される記録剤の消費量を算出する請求項１乃至請求項３のいずれかに記載の画像形成装置。
【発明の詳細な説明】
【技術分野】
【０００１】
本発明は、画像形成装置に関し、特に、トナー等の記録剤の残量が少なくなった場合における動作制御に関する。
【背景技術】
【０００２】
一般的なプリンターや複合機等の画像形成装置は、記録剤が残量不足になると、印刷が停止し、記録剤が補給されるまで、印刷は再開されず、停止した印刷ジョブはもちろん、後続の印刷ジョブの実行も滞り、ダウンタイムが発生する。下記の特許文献１には、記録剤を多種類搭載するカラー印刷装置において、印刷時にある一種類の記録剤が残量不足又は残量切れになったときに、他の種類の記録剤が残っている場合には、当該他の種類の記録剤だけでの印刷が可能な待機中のジョブを優先して印刷させることによって、後続の印刷ジョブの実行が滞るのを回避させることが記載されている。
【先行技術文献】
【特許文献】
【０００３】
【特許文献１】特開２００６−２６３９６８号公報
【発明の概要】
【発明が解決しようとする課題】
【０００４】
ところで、記録剤の残量不足により、実行中の印刷ジョブが停止するのは仕方のないことであると、ユーザーもあきらめがつくと思われるが、後続の印刷ジョブによる記録剤の消費量が少ないにも拘わらず、停止した印刷ジョブによる記録剤の消費量が多過ぎたために、記録剤が残量不足となるのは、ユーザーは不満であろうと思われる。上記の特許文献１には、後続の印刷ジョブを優先して実行させることが記載されているが、これは画像形成に必要な種類の記録剤の残量不足となったために、実行中の印刷ジョブを停止せざるを得なかったためであり、記録剤の残量不足となるまでに、印刷ジョブの実行の順番を入れ替えるものではない。
【０００５】
本発明は、上記の事情に鑑みなされたものであり、印刷ジョブの順番を効率良く入れ替え、実行の滞る印刷ジョブを減らすことによって、装置使用時にユーザーが体験する満足度（ユーザーエクスペリエンス）を向上させることを目的とする。
【課題を解決するための手段】
【０００６】
本発明の一局面に係る画像形成装置は、印刷ジョブに従って、記録剤を用いて記録媒体に画像を形成する画像形成部と、前記画像形成部の動作を制御する制御部と、前記記録剤の残量を検出する残量検出部と、印刷ジョブ毎に、それぞれの印刷ジョブによる印刷で消費される記録剤の消費量を算出する消費量算出部と、前記消費量算出部により算出された実行中の印刷ジョブによる印刷で消費される記録剤の消費量と、前記残量検出部により検出された記録剤の残量とを比較することで、実行中の印刷ジョブが途中で停止するか否かを判定する第１判定部と、前記消費量算出部により算出された、前記実行中の印刷ジョブに続く後続の印刷ジョブによる印刷で消費される記録剤の消費量と、前記残量検出部により検出された記録剤の残量とを比較することで、実行中の印刷ジョブに代えて前記後続の印刷ジョブを実行させた場合に、当該印刷ジョブの処理が完了するか否かを判定する第２判定部と、を備え、前記制御部は、前記第１判定部により実行中の印刷ジョブは途中で停止すると判定され、 かつ、前記第２判定部により前記後続の印刷ジョブの処理は完了すると判定された場合、実行中の印刷ジョブを停止させ、前記後続の印刷ジョブを実行させるものである。
【０００７】
また、本発明の他の一局面に係る画像形成装置は、印刷ジョブに従って、記録剤を用いて記録媒体に画像を形成する画像形成部と、前記画像形成部の動作を制御する制御部と、前記記録剤の残量を検出する残量検出部と、印刷ジョブ毎に、それぞれの印刷ジョブによる印刷で消費される記録剤の消費量を算出する消費量算出部と、前記消費量算出部により算出された実行中の印刷ジョブによる印刷で消費される記録剤の消費量と、前記残量検出部により検出された記録剤の残量とを比較することで、実行中の印刷ジョブが途中で停止するか否かを判定する第１判定部と、前記残量検出部により検出された記録剤の残量が、予め定められた規定量以下になったか否かを判断する残量状況判断部と、前記消費量算出部により算出された後続の印刷ジョブによる印刷で消費される記録剤の消費量と、前記予め定められた規定量とを比較することで、記録剤の残量が前記予め定められた規定量まで減少したときに、実行中の印刷ジョブに代えて、前記後続の印刷ジョブを実行させた場合に、当該後続の印刷ジョブの処理が完了するか否かを判定する第３判定部と、を備え、前記制御部は、前記第１判定部により実行中の印刷ジョブは途中で停止すると判定され、なおかつ前記残量状況判断部により、記録剤の残量が前記予め定められた規定量以下になったと判断されたときに、前記第３判定部により処理が完了すると判定された後続の印刷ジョブが存在する場合は、実行中の印刷ジョブを停止させ、当該後続の印刷ジョブを実行させるものである。
【発明の効果】
【０００８】
本発明によれば、記録剤の残量不足によって、実行中の印刷ジョブが途中で停止するおそれがあり、なおかつ当該印刷ジョブの代わりに実行させれば、処理を完了させることの可能な後続の印刷ジョブが存在する場合、実行中の印刷ジョブが停止され、後続の印刷ジョブが実行される。従って、印刷ジョブの順番を効率良く入れ替え、実行の滞る印刷ジョブを減らすことが可能となり、装置使用時にユーザーが体験する満足度（ユーザーエクスペリエンス）を向上させることができる。
【図面の簡単な説明】
【０００９】
【図１】本発明の第１実施形態に係る画像形成装置の主要内部構成を概略的に示した機能ブロック図である。
【図２】第１実施形態に係る画像形成装置における制御ユニットで行われる処理動作の一例を示したフローチャートである。
【図３】第２実施形態に係る画像形成装置の主要内部構成を概略的に示した機能ブロック図である。
【図４】第２実施形態に係る画像形成装置における制御ユニットで行われる処理動作の一例を示したフローチャートである。
【図５】印刷ジョブを実行させる順番の入れ替えの一例を説明するための説明図である。
【図６】印刷ジョブを実行させる順番の入れ替えの一例を説明するための説明図である。
【発明を実施するための形態】
【００１０】
以下、本発明の一実施形態に係る画像形成装置の主要内部構成を概略的に示した機能ブロック図である。画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、及びトナーコンテナ１７を含んで構成されている。
【００１１】
画像形成装置１で原稿読取動作が行われる場合について説明する。原稿給送部６により搬送されてきた原稿、又はプラテンガラスに載置された原稿の画像を、原稿読取部５が光学的に読み取り、そして画像データを生成する。原稿読取部５により生成された画像データは、画像メモリー３２等に保存される。
【００１２】
画像形成装置１で画像形成動作が行われる場合について説明する。原稿読取動作により生成された画像データや、ＨＤＤ９２に記憶されている画像データ、ネットワーク接続された外部装置としてのコンピューターから受信した画像データ等に基づいて、画像形成部１２が、給紙部１４から給紙される記録媒体としての記録紙にトナー像を形成する。
【００１３】
ＨＤＤ９２は、原稿読取部５によって読み取られた原稿画像や各種プログラム等を記憶する大容量の記憶装置である。画像メモリー３２は、原稿読取部５による読み取りで得られた原稿の画像データを記憶したり、画像形成部１２のプリント対象となるデータを一時的に保存したりするための領域である。
【００１４】
定着部１３は、熱圧着によりトナー像を記録紙に定着させるものであり、定着処理が施された記録紙は排出トレイに排出される。給紙部１４は、給紙カセットを備える。
【００１５】
操作部４７は、画像形成装置１が実行可能な各種動作及び処理について操作者から画像形成動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１６】
トナーコンテナ１７は、画像形成部１２による画像形成に用いられる記録剤としてのトナーが収容されている。また、トナーコンテナ１７には、内部に収容されているトナーの残量を検出するためのトナー残量センサー１７１が設けられ、トナー残量センサー１７１により検出されたトナー残量を示すデータは制御ユニット１０に送信され、制御ユニット１０において、当該信号に基づく制御が行われる。トナー残量センサー１７１としては、例えば、トナーに向けて光を照射し、反射される光量を検出することでトナーの残量を検出する光センサーが挙げられる。なお、トナー残量センサー１７１は、特許請求の範囲における残量検出部の一例である。
【００１７】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、消費量算出部１０１と、第１判定部１０２と、第２判定部１０３とを備えている。
【００１８】
制御ユニット１０は、ＨＤＤ９２に記憶されている制御プログラムに従った上記プロセッサーによる動作により、制御部１００、消費量算出部１０１、第１判定部１０２、及び第２判定部１０３として機能するものである。但し、制御部１００等は、制御ユニット１０による制御プログラムに従った動作によらず、ハードウェア回路により構成することも可能である。以下、特に触れない限り、各実施形態について同様である。
【００１９】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、操作部４７、及びトナーコンテナ１７と接続され、これら各部の駆動制御等を行う。
【００２０】
消費量算出部１０１は、印刷ジョブ毎に、それぞれの印刷ジョブによる印刷で消費される記録剤（トナー）の消費量を算出する。なお、消費量算出部１０１は、実行中の印刷ジョブ、及びこのジョブに続く後続の印刷ジョブについて、印刷で消費される記録剤（トナー）の消費量を算出する。消費量算出部１０１は、例えば、印刷ジョブにかかる画像データを、レンダリング処理を行うハードウェア回路に通過させて、当該画像データに基づくラスタデータを生成させ、レンダリング処理によって得られたラスタデータから、各画素で消費されるトナー量をカウントし、全画素分のトナー消費量を積算することによって、当該印刷ジョブによる印刷で消費されるトナーの消費量を求める。
【００２１】
第１判定部１０２は、消費量算出部１０１により算出された実行中の印刷ジョブによる印刷で消費されるトナーの消費量Ｖ１と、トナー残量センサー１７１により検出されたトナーの残量Ｒとを比較することで、実行中の印刷ジョブが途中で停止するか否かを判定する。例えば、第１判定部１０２は、トナーの消費量Ｖ１がトナーの残量よりも多い場合に、実行中の印刷ジョブを途中で停止すると判定する。
【００２２】
第２判定部１０３は、消費量算出部１０１により算出された後続の印刷ジョブによる印刷で消費されるトナーの消費量Ｖ２と、トナー残量センサー１７１により検出されたトナーの残量Ｒとを比較することで、実行中の印刷ジョブに代えて、後続の印刷ジョブを実行させた場合に、当該印刷ジョブの処理が完了するか否かを判定する。例えば、第２判定部１０３は、トナーの消費量Ｖ２がトナーの残量Ｒ以下の場合には、実行中の印刷ジョブに代えて後続の印刷ジョブを実行させた場合に当該印刷ジョブの処理が完了すると判定する。
【００２３】
次に、第１実施形態に係る画像形成装置１の制御ユニット１０で行われる処理動作の一例について、図２に示したフローチャートに基づいて説明する。なお、この処理動作は、第１判定部１０２が、実行中の印刷ジョブが途中で停止すると判定されている（すなわち、トナー残量不足によって、実行中の印刷ジョブが途中で停止するおそれがある）ときに、制御部１００が、新たな印刷ジョブが投入されたのを検出した場合（例えば、外部装置であるパーソナルコンピューターから新たな印刷ジョブが送信されてきた場合）に行われる処理動作である。
【００２４】
制御部１００が、新たな印刷ジョブが投入されたのを検出すると、消費量算出部１０１が、当該印刷ジョブ（後続の印刷ジョブ）による印刷で消費されるトナーの消費量Ｖ２を算出し（Ｓ１）、制御部１００が、当該印刷ジョブにかかる画像データを圧縮し、圧縮した画像データをＨＤＤ９２に記憶させる（Ｓ２）。
【００２５】
続いて、第２判定部１０３が、トナー残量センサー１７１で検出されるトナーの残量Ｒを示すデータを取得し（Ｓ３）、第２判定部１０３が、消費量算出部１０１により算出された消費量Ｖ２が残量Ｒ以下であるか否かを判断する（Ｓ４）。例えば、消費量算出部１０１は、後続の印刷ジョブが複数である場合は、当該複数の印刷ジョブのそれぞれについて算出した各消費量の合計を消費量Ｖ２として算出する。
【００２６】
第２判定部１０３が、消費量算出部１０１により算出された消費量Ｖ２が残量Ｒ以下であると判断した場合（Ｓ４でＹＥＳ）、制御部１００は、画像形成部１２の動作を制御して、実行中の印刷ジョブを停止させ（Ｓ５）、その後、当該後続の印刷ジョブを実行させる（Ｓ６）。なお、消費量算出部１０１により複数の後続の印刷ジョブについての各消費量の合計が消費量Ｖ２として算出されている場合は、制御部１００は、当該複数の後続の印刷ジョブを全て実行する。
【００２７】
制御部１００は、当該後続の印刷ジョブの実行が完了したか否かを判断し（Ｓ７）、当該後続の印刷ジョブの実行が完了したと判断すると（Ｓ７でＹＥＳ）、停止させていた印刷ジョブを実行させ（Ｓ８）、この処理動作を終了する。
【００２８】
一方、第２判定部１０３が、消費量算出部１０１により算出された消費量Ｖ２が残量Ｒ以下でないと判断した場合（Ｓ４でＮＯ）、そのままこの処理動作を終了する。
【００２９】
上記第１実施形態によれば、記録剤であるトナーの残量不足によって、実行中の印刷ジョブが途中で停止するおそれがあり、なおかつ当該印刷ジョブの代わりに実行させれば、処理を完了させることの可能な後続の印刷ジョブが存在する場合、実行中の印刷ジョブが停止され、後続の印刷ジョブが実行される。従って、印刷ジョブの順番を効率良く入れ替え、実行の滞る印刷ジョブを減らすことが可能となり、画像形成装置１の使用時にユーザーが体験する満足度（ユーザーエクスペリエンス）を向上させることができる。
【００３０】
次に、第２実施形態に係る画像形成装置を説明する。図３は、第２実施形態に係る画像形成装置の主要内部構成を概略的に示した機能ブロック図である。第２実施形態に係る画像形成装置は、第２判定部１０３を備えず、残量状況判断部１０４及び第３判定部１０５を備える。なお、第２実施形態の説明では、第１実施形態と同様に処理は説明を省略する。
【００３１】
残量状況判断部１０４は、トナー残量センサー１７１により検出されたトナーの残量Ｒが、予め定められた規定量Ｔ１以下になったか否かを判断する。つまり、残量状況判断部１０４は、トナーが残り少なくなってきたか否かを判断する。この規定量Ｔ１は、例えば、消費量算出部１０１によって実行中の印刷ジョブについての記録剤消費量が算出された時点でのトナーの残量Ｒよりも小さい任意の値であり、残量状況判断部１０４が、トナー残量センサー１７１により検出されたトナーの残量Ｒに基づいて設定する。例えば、残量状況判断部１０４が、記録剤消費量が算出された時点でのトナーの残量Ｒの５０％を規定量Ｔ１として設定する。
【００３２】
第３判定部１０５は、消費量算出部１０１により算出された後続の印刷ジョブによる印刷で消費されるトナーの消費量Ｖ２と規定量Ｔ１とを比較することで、トナーの残量Ｒが規定量Ｔ１まで減少したときに、実行中の印刷ジョブに代えて、当該後続の印刷ジョブを実行させた場合に、当該後続の印刷ジョブの処理が完了するか否かを判定する。
【００３３】
続いて、第２実施形態に係る画像形成装置１の制御ユニット１０で行われる処理動作の一例について、図４に示したフローチャートに基づいて説明する。なお、この処理動作は、第１判定部１０２が、実行中の印刷ジョブが途中で停止すると判定されている（すなわち、トナー残量不足によって、実行中の印刷ジョブが途中で停止するおそれがある）ときに、残量状況判断部１０４が、トナーの残量Ｒが規定量Ｔ１以下になったと判断したときに行われる処理動作である。
【００３４】
制御部１００が、後続の印刷ジョブ（すなわち、後続の印刷ジョブにかかる画像データ）がＨＤＤ９２に記憶されているか否か（すなわち、待機中の印刷ジョブが存在するか否か）を判断し（Ｓ１１）、制御部１００が、待機中の印刷ジョブが存在すると判断した場合（Ｓ１１でＹＥＳ）、消費量算出部１０１が、待機中の印刷ジョブの中で、実行順の一番早い待機中の印刷ジョブ、ここでは、投入された順番の一番早い待機中の印刷ジョブにかかる画像データをＨＤＤ９２から読み出して、当該印刷ジョブによる印刷で消費されるトナーの消費量Ｖ３を算出する（Ｓ１２）。
【００３５】
続いて、第３判定部１０５が、トナー残量センサー１７１により検出されるトナーの残量Ｒが規定量Ｔ１まで減少したときに、消費量算出部１０１により算出された消費量Ｖ３が規定量Ｔ１以下であるか否かを判断する（Ｓ１３）。第３判定部１０５が、消費量算出部１０１により算出された消費量Ｖ３が規定量Ｔ１以下であると判断した場合（Ｓ１３でＹＥＳ）、制御部１００は、画像形成部１２の動作を制御して、実行中の印刷ジョブを停止させ（Ｓ１４）、その後、当該待機中の印刷ジョブを実行させる（Ｓ１５）。
【００３６】
一方、第３判定部１０５が、消費量算出部１０１により算出された消費量Ｖ３が規定量Ｔ１以下でないと判断した場合（Ｓ１３でＮＯ）、制御部１００が、他の待機中の印刷ジョブが存在するか否かを判断する（Ｓ１６）。
【００３７】
制御部１００が、他の待機中の印刷ジョブが存在すると判断した場合（Ｓ１６でＹＥＳ）、消費量算出部１０１が、当該他の待機中の印刷ジョブの中で、実行順の一番早い待機中の印刷ジョブ、ここでは、投入された順番の一番早い待機中の印刷ジョブにかかる画像データをＨＤＤ９２から読み出して、当該印刷ジョブによる印刷で消費されるトナーの消費量Ｖ３を算出し（Ｓ１７）、その後、処理はＳ１３へ移る。
【００３８】
制御部１００が、待機中の印刷ジョブが存在しないと判断した場合（Ｓ１１でＮＯ）や、制御部１００が、他の待機中の印刷ジョブが存在しないと判断した場合（Ｓ１６でＮＯ）、処理が完了する待機中の印刷ジョブは存在しないことになるので、この処理動作を終了する。
【００３９】
Ｓ１５において、待機中の印刷ジョブを実行させた後、制御部１００は、当該印刷ジョブの実行が完了したか否かを判断し（Ｓ１８）、当該印刷ジョブの実行が完了したと判断すると（Ｓ１８でＹＥＳ）、制御部１００は、規定量Ｔ１から消費量Ｖ３を差し引いた大きさを新たな閾値ＴＡに設定し（Ｓ１９）、他の待機中の印刷ジョブが存在するか否かを判断する（Ｓ２０）。
【００４０】
制御部１００が、他の待機中の印刷ジョブが存在すると判断した場合（Ｓ２０でＹＥＳ）、消費量算出部１０１が、当該他の待機中の印刷ジョブの中で、実行順の一番早い待機中の印刷ジョブ、ここでは、投入された順番の一番早い待機中の印刷ジョブにかかる画像データをＨＤＤ９２から読み出して、当該印刷ジョブによる印刷で消費されるトナーの消費量Ｖ３を算出する（Ｓ２１）。
【００４１】
続いて、第３判定部１０５が、消費量算出部１０１により算出された消費量Ｖ３が閾値ＴＡ以下であるか否かを判断する（Ｓ２２）。第３判定部１０５が、消費量算出部１０１により算出された消費量Ｖ３が閾値ＴＡ以下であると判断した場合（Ｓ２２でＹＥＳ）、制御部１００は、画像形成部１２の動作を制御して、当該待機中の印刷ジョブを実行させる（Ｓ２３）。
【００４２】
一方、第３判定部１０５が、消費量算出部１０１により算出された消費量Ｖ３が閾値ＴＡ以下でないと判断した場合（Ｓ２２でＮＯ）、処理はＳ２０へ戻る。
【００４３】
Ｓ２３において、待機中の印刷ジョブを実行させた後、制御部１００は、当該印刷ジョブの実行が完了したか否かを判断し（Ｓ２４）、当該印刷ジョブの実行が完了したと判断すると（Ｓ２４でＹＥＳ）、制御部１００は、閾値ＴＡから消費量Ｖ３を差し引いた大きさに閾値ＴＡを更新し（Ｓ２５）、その後、処理はＳ２０へ移る。
【００４４】
また、Ｓ２０において、制御部１００が、他の待機中の印刷ジョブが存在しないと判断した場合（Ｓ２０でＮＯ）、Ｓ１４で停止させていた印刷ジョブを再実行させ（Ｓ２６）、この処理動作を終了する。
【００４５】
図５は、印刷ジョブを実行させる実行順の入れ替えの一例を説明するための説明図である。図５は、名称が「ジョブＡ」、「ジョブＢ」、「ジョブＣ」、「ジョブＤ」、「ジョブＥ」である５つの印刷ジョブが画像形成装置１へ投入されていることを示し、一番早く投入された「ジョブＡ」が実行中であり、その他の印刷ジョブが待機中であることを示している。
【００４６】
また、図５は、「ジョブＡ」におけるトナー消費量が「トナー残量より多い」ことを示し、「ジョブＢ」、「ジョブＣ」、及び「ジョブＥ」におけるトナー消費量が「規定量Ｔ１以下」であること、そして「ジョブＤ」におけるトナー消費量が「規定量Ｔ１より多い」ことを示している。
【００４７】
「ジョブＡ」におけるトナー消費量が「トナー残量より多い」ため、トナー残量不足によって、途中で停止するおそれがある。「ジョブＢ」、「ジョブＣ」、「ジョブＥ」については、トナーの残量Ｒが規定量Ｔ１まで減少したときに、処理を開始しても、処理は完了する。
【００４８】
従って、図４に示した処理動作が実行されると、図５に示したように、実行の順番は「ジョブＢ」、「ジョブＣ」、「ジョブＥ」、「ジョブＡ」、「ジョブＤ」に入れ替わることになる。なお、「ジョブＣ」以降については、「ジョブＢ」によるトナー消費分、トナー残量が減るので、厳密には「ジョブＢ」によるトナー消費量を考慮する必要があるが、ここでは説明を簡単にするため、当該トナー消費量を考慮していない。
【００４９】
当該第２実施形態によれば、ある程度トナー残量が減るまでは、実行中の印刷ジョブを実行し、ある程度トナー残量が減ってきた時点で、待機中の印刷ジョブの実行に切り換えることで、実行中の印刷ジョブを可能な限り長く実行しつつ、実行の滞る印刷ジョブを減らすことが可能となり、画像形成装置１の使用時にユーザーが体験する満足度（ユーザーエクスペリエンス）を更に向上させることができる。更には、待機中の印刷ジョブが複数存在する場合には、各印刷ジョブを一定基準に基づいた順番で順次処理することが可能となる。
【００５０】
ところで、印刷物には社外秘等の機密性の高い文書があり、印刷ジョブが、当該印刷ジョブが機密性を有しているか否かを示す属性情報を含んでいる場合がある。そのため、他の実施形態として、制御部１００が、当該属性情報に基づいて、後続の印刷ジョブ（すなわち、待機中の印刷ジョブ）のうち、機密性を有しているものを、機密性を有していないものよりも実行順位を上位に設定するようにしてもよい。
【００５１】
例えば、上記実施形態では、Ｓ１２やＳ１７、Ｓ２１において、消費量算出部１０１が、待機中の印刷ジョブの中で、投入された順番の早い待機中の印刷ジョブにかかる画像データをＨＤＤ９２から読み出して、当該印刷ジョブによる印刷で消費されるトナーの消費量Ｖ３を算出しているが、当該他の実施形態としては、制御部１００が、消費量算出部１０１に、機密性を有している待機中の印刷ジョブにかかる画像データをＨＤＤ９２から優先して読み出させ、当該印刷ジョブによる印刷で消費されるトナーの消費量Ｖ３を優先して算出させるようにする。
【００５２】
図６は、印刷ジョブを実行させる順番の入れ替えの一例を説明するための説明図である。図６に示したように、「ジョブＣ」が機密性を有しているため、実行の順番は「ジョブＣ」、「ジョブＢ」、「ジョブＥ」、「ジョブＡ」、「ジョブＤ」に入れ替わることになる。
【００５３】
また、更なる別の実施形態では、制御部１００が、通常モードと、当該通常モードよりも、予め定められた低減条件に従って、記録剤であるトナーの消費量を低下させるエコモードとを切り替え可能である場合、消費量算出部１０１が、エコモードが設定されている場合、当該予め定められた低減条件に従って、印刷ジョブによる印刷で消費されるトナーの消費量を算出するようにしてもよい。
【００５４】
また、本発明は上記実施の形態の構成に限られず種々の変形が可能である。また、上記実施形態では、本発明に係る画像形成装置の一実施形態として複合機を用いて説明しているが、これは一例に過ぎず、例えば、コピー機、プリンター、ファクシミリ等の他の画像形成装置でもよい。
【００５５】
また、図１乃至図６を用いて上記実施形態により示した構成及び処理は、本発明の一実施形態に過ぎず、本発明を当該構成及び処理に限定する趣旨ではない。
【符号の説明】
【００５６】
１        画像形成装置
１２      画像形成部
１００    制御部
１０１    消費量算出部
１０２    第１判定部
１０３    第２判定部
１０４    残量状況判断部
１０５    第３判定部
１７１    トナー残量センサー
【図１】
2019010786.tif 000003
【図２】
2019010786.tif 000004
【図３】
2019010786.tif 000005
【図４】
2019010786.tif 000006
【図５】
2019010786.tif 000007
【図６】
2019010786.tif 000008